【手続補正書】
【提出日】平成28年3月11日(2016.3.11)
【手続補正１】
【補正対象書類名】特許請求の範囲
【補正対象項目名】全文
【補正方法】変更
【補正の内容】
【特許請求の範囲】
【請求項１】
遊技の進行を制御するとともに、該遊技の進行による遊技情報を記憶する遊技記憶手段を備える主制御基板と、
該主制御基板からのコマンドに基づいて表示制御部を制御して演出表示装置に画面を表示することにより演出の進行を制御するとともに、該演出の進行による演出情報を記憶する演出記憶手段を備える演出制御基板と、
を備える遊技機であって、
前記遊技機は、さらに、
当該遊技機への電力の停電又は瞬停の兆候を監視するとともに、該電力の停電又は瞬停の兆候を検出すると、停電予告として停電予告信号を出力する停電監視部
を備え、
前記主制御基板は、さらに、
復電時における起動復帰制御を実行する主制御側復電時起動復帰制御手段と、
前記停電監視部からの前記停電予告信号が入力されたことに基づいて電源断時制御を実行する主制御側電源断時制御手段と、
を備え、
前記主制御側電源断時制御手段は、少なくとも、
前記遊技記憶手段に記憶されている前記遊技情報を遊技バックアップ情報として記憶保持する遊技バックアップ情報記憶保持制御手段
を含み、
前記主制御側復電時起動復帰制御手段は、少なくとも、
前記遊技バックアップ情報記憶保持制御手段が前記遊技記憶手段に記憶保持した前記遊技バックアップ情報に基づいて前記停電予告信号が入力される前の遊技に復帰するか否かを判定する遊技復帰判定制御手段と、
該遊技復帰判定制御手段が前記停電予告信号が入力される前の遊技に復帰すると判定したときに前記遊技バックアップ情報記憶保持制御手段が前記遊技記憶手段に記憶保持した前記遊技バックアップ情報に基づいて復帰する遊技復帰制御手段と、
前記遊技復帰判定制御手段が前記停電予告信号が入力される前の遊技に復帰しないと判定したときに前記遊技記憶手段に記憶される前記遊技バックアップ情報を初期化して該初期化した情報に基づいて起動する遊技初期化起動制御手段と、
を含み、
前記演出記憶手段は、少なくとも、
前記演出の進行による前記演出情報を記憶するワークエリアと、
該ワークエリアに記憶される前記演出情報を演出バックアップ情報として記憶保持するバックアップエリアと、
を備え、
前記バックアップエリアは、第１のバックアップエリアと第２のバックアップエリアとを有し、
前記演出制御基板は、さらに、
前記演出記憶手段に備える前記ワークエリアに記憶される前記演出情報を前記演出バックアップ情報として当該演出記憶手段に備える前記バックアップエリアに転送するダイレクトメモリアクセス制御手段と、
復電時における起動復帰制御を実行する演出制御側復電時起動復帰制御手段と、
前記表示制御部を制御して当該表示制御部から前記演出表示装置に表示する１画面分の制御情報を当該演出表示装置に出力するごとに、これを契機として、当該表示制御部から前記１画面分の制御情報を受け入れることができる状態である旨を伝える受入許可信号が入力されたことに基づいて予め定めた周期が発生し、該予め定めた周期が発生するごとに定期割り込み制御を実行する演出制御側定期割り込み制御実行制御手段と、
を備え、
前記演出制御側定期割り込み制御実行制御手段は、少なくとも、
前記ダイレクトメモリアクセス制御手段を制御して前記演出記憶手段に備える前記ワークエリアに記憶されている前記演出情報を前記演出バックアップ情報として当該演出記憶手段に備える前記バックアップエリアに転送するときには当該バックアップエリアにおける前記第１のバックアップエリアと前記第２のバックアップエリアとに同一の当該演出バックアップ情報をそれぞれ転送することにより当該演出バックアップ情報を当該バックアップエリアに記憶保持する演出バックアップ情報記憶保持制御手段
を含み、
前記演出制御側復電時起動復帰制御手段は、少なくとも、
前記演出バックアップ情報記憶保持制御手段が前記演出記憶手段に備える前記バックアップエリアにおける前記第１のバックアップエリアと前記第２のバックアップエリアとにそれぞれ記憶保持した前記演出バックアップ情報が一致しているか否かに基づいて前記停電予告信号が入力される前の演出に復帰するか否かを判定する演出復帰判定制御手段と、
該演出復帰判定制御手段が前記演出記憶手段に備える前記バックアップエリアにおける前記第１のバックアップエリアと前記第２のバックアップエリアとにそれぞれ記憶保持した前記演出バックアップ情報が一致していると判定して前記停電予告信号が入力される前の演出に復帰すると判定したときに当該演出バックアップ情報に基づいて復帰する演出復帰制御手段と、
前記演出復帰判定制御手段が前記演出記憶手段に備える前記バックアップエリアにおける前記第１のバックアップエリアと前記第２のバックアップエリアとにそれぞれ記憶保持した前記演出バックアップ情報が一致していないと判定して前記停電予告信号が入力される前の演出に復帰しないと判定したときに当該第１のバックアップエリアと当該第２のバックアップエリアとにそれぞれ記憶される当該演出バックアップ情報を初期化して該初期化した情報に基づいて起動する演出初期化起動制御手段と、
を含み、
前記主制御基板は、前記停電監視部からの前記停電予告信号が入力されたことに基づいて、前記主制御側電源断時制御手段における前記遊技バックアップ情報記憶保持制御手段において、前記遊技記憶手段に記憶されている前記遊技情報を前記遊技バックアップ情報として記憶保持するのに対して、
前記演出制御基板は、前記表示制御部からの前記受入許可信号が入力されたことに基づいて前記予め定めた周期が発生し、当該予め定めた周期が発生するごとに、前記演出制御側定期割り込み制御実行制御手段における前記演出バックアップ情報記憶保持制御手段において、前記演出記憶手段に備える前記ワークエリアに記憶されている前記演出情報を前記演出バックアップ情報として当該演出記憶手段に備える前記バックアップエリアにおける前記第１のバックアップエリアと前記第２のバックアップエリアとに同一の当該演出バックアップ情報をそれぞれ転送することにより当該演出バックアップ情報を当該バックアップエリアに記憶保持することを特徴とする遊技機。
【手続補正２】
【補正対象書類名】明細書
【補正対象項目名】発明の名称
【補正方法】変更
【補正の内容】
【発明の名称】遊技機
【手続補正３】
【補正対象書類名】明細書
【補正対象項目名】０００１
【補正方法】変更
【補正の内容】
【０００１】
本発明は、瞬停対策が施された遊技機に関するものである。
【手続補正４】
【補正対象書類名】明細書
【補正対象項目名】０００６
【補正方法】変更
【補正の内容】
【０００６】
本発明は、このような事情に鑑みてなされたものであり、その目的とするところは、瞬停前の演出状態を復電時に確実に復帰することができる遊技機を提供することにある。
【手続補正５】
【補正対象書類名】明細書
【補正対象項目名】０００８
【補正方法】変更
【補正の内容】
【０００８】
（解決手段１）
遊技の進行を制御するとともに、該遊技の進行による遊技情報を記憶する遊技記憶手段を備える主制御基板と、該主制御基板からのコマンドに基づいて表示制御部を制御して演出表示装置に画面を表示することにより演出の進行を制御するとともに、該演出の進行による演出情報を記憶する演出記憶手段を備える演出制御基板と、を備える遊技機であって、前記遊技機は、さらに、当該遊技機への電力の停電又は瞬停の兆候を監視するとともに、該電力の停電又は瞬停の兆候を検出すると、停電予告として停電予告信号を出力する停電監視部を備え、前記主制御基板は、さらに、復電時における起動復帰制御を実行する主制御側復電時起動復帰制御手段と、前記停電監視部からの前記停電予告信号が入力されたことに基づいて電源断時制御を実行する主制御側電源断時制御手段と、を備え、前記主制御側電源断時制御手段は、少なくとも、前記遊技記憶手段に記憶されている前記遊技情報を遊技バックアップ情報として記憶保持する遊技バックアップ情報記憶保持制御手段を含み、前記主制御側復電時起動復帰制御手段は、少なくとも、前記遊技バックアップ情報記憶保持制御手段が前記遊技記憶手段に記憶保持した前記遊技バックアップ情報に基づいて前記停電予告信号が入力される前の遊技に復帰するか否かを判定する遊技復帰判定制御手段と、該遊技復帰判定制御手段が前記停電予告信号が入力される前の遊技に復帰すると判定したときに前記遊技バックアップ情報記憶保持制御手段が前記遊技記憶手段に記憶保持した前記遊技バックアップ情報に基づいて復帰する遊技復帰制御手段と、前記遊技復帰判定制御手段が前記停電予告信号が入力される前の遊技に復帰しないと判定したときに前記遊技記憶手段に記憶される前記遊技バックアップ情報を初期化して該初期化した情報に基づいて起動する遊技初期化起動制御手段と、を含み、前記演出記憶手段は、少なくとも、前記演出の進行による前記演出情報を記憶するワークエリアと、該ワークエリアに記憶される前記演出情報を演出バックアップ情報として記憶保持するバックアップエリアと、を備え、前記バックアップエリアは、第１のバックアップエリアと第２のバックアップエリアとを有し、前記演出制御基板は、さらに、前記演出記憶手段に備える前記ワークエリアに記憶される前記演出情報を前記演出バックアップ情報として当該演出記憶手段に備える前記バックアップエリアに転送するダイレクトメモリアクセス制御手段と、復電時における起動復帰制御を実行する演出制御側復電時起動復帰制御手段と、前記表示制御部を制御して当該表示制御部から前記演出表示装置に表示する１画面分の制御情報を当該演出表示装置に出力するごとに、これを契機として、当該表示制御部から前記１画面分の制御情報を受け入れることができる状態である旨を伝える受入許可信号が入力されたことに基づいて予め定めた周期が発生し、該予め定めた周期が発生するごとに定期割り込み制御を実行する演出制御側定期割り込み制御実行制御手段と、を備え、前記演出制御側定期割り込み制御実行制御手段は、少なくとも、前記ダイレクトメモリアクセス制御手段を制御して前記演出記憶手段に備える前記ワークエリアに記憶されている前記演出情報を前記演出バックアップ情報として当該演出記憶手段に備える前記バックアップエリアに転送するときには当該バックアップエリアにおける前記第１のバックアップエリアと前記第２のバックアップエリアとに同一の当該演出バックアップ情報をそれぞれ転送することにより当該演出バックアップ情報を当該バックアップエリアに記憶保持する演出バックアップ情報記憶保持制御手段を含み、前記演出制御側復電時起動復帰制御手段は、少なくとも、前記演出バックアップ情報記憶保持制御手段が前記演出記憶手段に備える前記バックアップエリアにおける前記第１のバックアップエリアと前記第２のバックアップエリアとにそれぞれ記憶保持した前記演出バックアップ情報が一致しているか否かに基づいて前記停電予告信号が入力される前の演出に復帰するか否かを判定する演出復帰判定制御手段と、該演出復帰判定制御手段が前記演出記憶手段に備える前記バックアップエリアにおける前記第１のバックアップエリアと前記第２のバックアップエリアとにそれぞれ記憶保持した前記演出バックアップ情報が一致していると判定して前記停電予告信号が入力される前の演出に復帰すると判定したときに当該演出バックアップ情報に基づいて復帰する演出復帰制御手段と、前記演出復帰判定制御手段が前記演出記憶手段に備える前記バックアップエリアにおける前記第１のバックアップエリアと前記第２のバックアップエリアとにそれぞれ記憶保持した前記演出バックアップ情報が一致していないと判定して前記停電予告信号が入力される前の演出に復帰しないと判定したときに当該第１のバックアップエリアと当該第２のバックアップエリアとにそれぞれ記憶される当該演出バックアップ情報を初期化して該初期化した情報に基づいて起動する演出初期化起動制御手段と、を含み、前記主制御基板は、前記停電監視部からの前記停電予告信号が入力されたことに基づいて、前記主制御側電源断時制御手段における前記遊技バックアップ情報記憶保持制御手段において、前記遊技記憶手段に記憶されている前記遊技情報を前記遊技バックアップ情報として記憶保持するのに対して、前記演出制御基板は、前記表示制御部からの前記受入許可信号が入力されたことに基づいて前記予め定めた周期が発生し、当該予め定めた周期が発生するごとに、前記演出制御側定期割り込み制御実行制御手段における前記演出バックアップ情報記憶保持制御手段において、前記演出記憶手段に備える前記ワークエリアに記憶されている前記演出情報を前記演出バックアップ情報として当該演出記憶手段に備える前記バックアップエリアにおける前記第１のバックアップエリアと前記第２のバックアップエリアとに同一の当該演出バックアップ情報をそれぞれ転送することにより当該演出バックアップ情報を当該バックアップエリアに記憶保持することを特徴とする遊技機。
【手続補正６】
【補正対象書類名】明細書
【補正対象項目名】０００９
【補正方法】変更
【補正の内容】
【０００９】
この遊技機では、主制御基板、演出制御基板を備えている。主制御基板は、遊技の進行を制御するとともに、遊技の進行による遊技情報を記憶する遊技記憶手段を備えている。演出制御基板は、主制御基板からのコマンドに基づいて表示制御部を制御して演出表示装置に画面を表示することにより演出の進行を制御するとともに、演出の進行による演出情報を記憶する演出記憶手段を備えている。
【手続補正７】
【補正対象書類名】明細書
【補正対象項目名】００１０
【補正方法】変更
【補正の内容】
【００１０】
この遊技機は、さらに、停電監視部を備えている。停電監視部は、遊技機への電力の停電又は瞬停の兆候を監視するとともに、その電力の停電又は瞬停の兆候を検出すると、停電予告として停電予告信号を出力するようになっている。
【手続補正８】
【補正対象書類名】明細書
【補正対象項目名】００１３
【補正方法】変更
【補正の内容】
【００１３】
主制御側復電時起動復帰制御手段は、少なくとも、遊技復帰判定制御手段、遊技復帰制御手段、遊技初期化起動制御手段を含んでいる。遊技復帰判定制御手段は、遊技バックアップ情報記憶保持制御手段が遊技記憶手段に記憶保持した遊技バックアップ情報に基づいて停電予告信号が入力される前の遊技に復帰するか否かを判定するものである。遊技復帰制御手段は、遊技復帰判定制御手段が停電予告信号が入力される前の遊技に復帰すると判定したときに遊技バックアップ情報記憶保持制御手段が遊技記憶手段に記憶保持した遊技バックアップ情報に基づいて復帰するものである。遊技初期化起動制御手段は、遊技復帰判定制御手段が停電予告信号が入力される前の遊技に復帰しないと判定したときに遊技記憶手段に記憶される遊技バックアップ情報を初期化して、この初期化した情報に基づいて起動するものである。
前記演出記憶手段は、少なくとも、ワークエリア、バックアップエリアを備えている。ワークエリアは、演出の進行による演出情報を記憶するものである。バックアップエリアは、ワークエリアに記憶される演出情報を演出バックアップ情報として記憶保持するものであり、第１のバックアップエリアと第２のバックアップエリアとを有している。
【手続補正９】
【補正対象書類名】明細書
【補正対象項目名】００１４
【補正方法】変更
【補正の内容】
【００１４】
演出制御基板は、さらに、ダイレクトメモリアクセス制御手段、演出制御側復電時起動復帰制御手段、演出制御側定期割り込み制御実行制御手段を備えている。ダイレクトメモリアクセス制御手段は、演出記憶手段に備えるワークエリアに記憶される演出情報を演出バックアップ情報として演出記憶手段に備えるバックアップエリアに転送するものである。演出制御側復電時起動復帰制御手段は、復電時における起動復帰制御を実行するものである。演出制御側定期割り込み制御実行制御手段は、表示制御部を制御して表示制御部から演出表示装置に表示する１画面分の制御情報を演出表示装置に出力するごとに、これを契機として、表示制御部から１画面分の制御情報を受け入れることができる状態である旨を伝える受入許可信号が入力されたことに基づいて予め定めた周期が発生し、予め定めた周期が発生するごとに定期割り込み制御を実行するものである。
【手続補正１０】
【補正対象書類名】明細書
【補正対象項目名】００１５
【補正方法】変更
【補正の内容】
【００１５】
演出制御側定期割り込み制御実行制御手段は、少なくとも、演出バックアップ情報記憶保持制御手段を含んでいる。演出バックアップ情報記憶保持制御手段は、ダイレクトメモリアクセス制御手段を制御して演出記憶手段に備えるワークエリアに記憶されている演出情報を演出バックアップ情報として演出記憶手段に備えるバックアップエリアに転送するときにはバックアップエリアにおける第１のバックアップエリアと第２のバックアップエリアとに同一の演出バックアップ情報をそれぞれ転送することにより演出バックアップ情報をバックアップエリアに記憶保持するものである。
【手続補正１１】
【補正対象書類名】明細書
【補正対象項目名】００１６
【補正方法】変更
【補正の内容】
【００１６】
演出制御側復電時起動復帰制御手段は、少なくとも、演出復帰判定制御手段、演出復帰制御手段、演出初期化起動制御手段を含んでいる。演出復帰判定制御手段は、演出バックアップ情報記憶保持制御手段が演出記憶手段に備えるバックアップエリアにおける前記第１のバックアップエリアと前記第２のバックアップエリアとにそれぞれ記憶保持した演出バックアップ情報が一致しているか否かに基づいて停電予告信号が入力される前の演出に復帰するか否かを判定するものである。演出復帰制御手段は、演出復帰判定制御手段が演出記憶手段に備えるバックアップエリアにおける第１のバックアップエリアと第２のバックアップエリアとにそれぞれ記憶保持した演出バックアップ情報が一致していると判定して停電予告信号が入力される前の演出に復帰すると判定したときに演出バックアップ情報に基づいて復帰するものである。演出初期化起動制御手段は、演出復帰判定制御手段が演出記憶手段に備えるバックアップエリアにおける第１のバックアップエリアと第２のバックアップエリアとにそれぞれ記憶保持した演出バックアップ情報が一致していないと判定して停電予告信号が入力される前の演出に復帰しないと判定したときに第１のバックアップエリアと第２のバックアップエリアとにそれぞれ記憶される演出バックアップ情報を初期化して、この初期化した情報に基づいて起動するものである。
【手続補正１２】
【補正対象書類名】明細書
【補正対象項目名】００１７
【補正方法】変更
【補正の内容】
【００１７】
主制御基板は、停電監視部からの停電予告信号が入力されたことに基づいて、主制御側電源断時制御手段における遊技バックアップ情報記憶保持制御手段において、遊技記憶手段に記憶されている遊技情報を遊技バックアップ情報として記憶保持するようになっているのに対して、演出制御基板は、表示制御部からの受入許可信号が入力されたことに基づいて予め定めた周期が発生し、予め定めた周期が発生するごとに、演出制御側定期割り込み制御実行制御手段における演出バックアップ情報記憶保持制御手段において、演出記憶手段に備えるワークエリアに記憶されている演出情報を演出バックアップ情報として演出記憶手段に備えるバックアップエリアにおける第１のバックアップエリアと第２のバックアップエリアとに同一の演出バックアップ情報をそれぞれ転送することにより演出バックアップ情報をバックアップエリアに記憶保持するようになっている。
【手続補正１３】
【補正対象書類名】明細書
【補正対象項目名】００１８
【補正方法】変更
【補正の内容】
【００１８】
このように、主制御基板は、停電監視部からの停電予告信号が入力されたことに基づいて、遊技記憶手段に記憶されている遊技情報を遊技バックアップ情報として記憶保持するタイミングとなっているのに対して、演出制御基板は、表示制御部から受入許可信号が予め定めた周期ごとに入力されたことに基づいて、演出記憶手段に備えるワークエリアに記憶されている演出情報を演出バックアップ情報として演出記憶手段に備えるバックアップエリアに転送することによりバックアップエリアに演出バックアップ情報を記憶保持するタイミングとなっている。換言すると、遊技記憶手段に記憶されている遊技情報は、停電監視部からの停電予告信号が一度入力されると、遊技バックアップ情報として記憶保持されるようになっているのに対して、演出記憶手段に備えるワークエリアに記憶されている演出情報は、表示制御部から受入許可信号が予め定めた周期で入力されるごとに、演出バックアップ情報として演出記憶手段に備えるバックアップエリアに転送することによりバックアップエリアに演出バックアップ情報を繰り返し記憶保持されるようになっている。これにより、瞬停が発生して停電監視部が停電予告信号を出力する場合においては、この停電予告信号が入力されたことに基づいて、主制御基板側では遊技記憶手段に記憶されている遊技情報を遊技バックアップ情報として記憶保持するのに対して、演出制御基板側では演出記憶手段に備えるワークエリアに記憶されている演出情報を演出バックアップ情報として演出記憶手段に備えるバックアップエリアに転送することによりバックアップエリアに演出バックアップ情報を記憶保持することがないようになっている。つまり、演出制御基板側では、瞬停が発生すると、極めて短時間内において、演出記憶手段に備えるワークエリアに記憶されている演出情報を演出バックアップ情報として演出記憶手段に備えるバックアップエリアに転送することによりバックアップエリアに演出バックアップ情報を記憶保持する仕組みではなく、表示制御部から受入許可信号が予め定めた周期ごとに入力されたことに基づいて、演出記憶手段に備えるワークエリアに記憶されている演出情報を演出バックアップ情報として演出記憶手段に備えるバックアップエリアに転送することによりバックアップエリアに演出バックアップ情報を記憶保持する仕組みが採用されているため、遊技機の仕様として演出の多様化を図る場合において演出記憶手段に備えるワークエリアに記憶されている演出情報の情報量が大きくなったとしても、瞬停時における演出記憶手段に備えるワークエリアに記憶されている演出情報が演出バックアップ情報として演出記憶手段に備えるバックアップエリアに転送されることによりバックアップエリアに演出バックアップ情報が確実に記憶保持されるようになっていることによって、復電時に演出バックアップ情報に基づいて瞬停前の演出状態に確実に復帰することができるようになっている。したがって、瞬停前の演出状態に復電時に確実に復帰することができる。
【手続補正１４】
【補正対象書類名】明細書
【補正対象項目名】００１９
【補正方法】変更
【補正の内容】
【００１９】
本実施形態では、例えば、図９７の主制御ＭＰＵ４１００ａの主制御内蔵ＲＡＭが遊技記憶手段に相当し、図９７の主制御基板４１００が主制御基板に相当し、図１１７及び図１１８の各種コマンドがコマンドに相当し、図１００の音源内蔵ＶＤＰ４１６０ａが表示制御部に相当し、図９６の液晶表示装置１９００が演出表示装置に相当し、図１０１の周辺制御ＲＡＭ４１５０ｃが演出記憶手段に相当し、図１００の周辺制御基板４１４０が演出制御基板に相当し、図１のパチンコ遊技機１が遊技機に相当し、図１０２の停電監視回路４１１０ｂが停電監視部に相当し、図１２１の主制御側電源投入時処理が主制御側復電時起動復帰制御手段に相当し、図１２１の主制御側電源投入時処理におけるステップＳ５２〜ステップＳ６０の処理、及び無限ループから構成される主制御側電源断時処理が主制御側電源断時制御手段に相当し、図１２１の主制御電源投入時処理におけるステップＳ５２の割り込み禁止設定という処理、及びステップＳ５６のチェックサムの算出記憶という処理が遊技バックアップ情報記憶保持制御手段に相当し、図１２１の主制御側電源投入時処理におけるステップＳ２８のチェックサムの値の一致判定という処理が遊技復帰判定制御手段に相当し、図１２１の主制御側電源投入時処理におけるステップＳ３２のＲＡＭ作業領域の復電時設定という処理が遊技復帰制御手段に相当し、図１２１の主制御側電源投入時処理におけるステップＳ３８のＲＡＭ作業領域の初期設定という処理が遊技初期化起動制御手段に相当し、図１０１の周辺制御ＲＡＭ４１５０ｃにおけるバックアップ管理対象ワークエリア４１５０ｃａがワークエリアに相当し、図１０１の周辺制御ＲＡＭ４１５０ｃにおけるバックアップ第１エリア４１５０ｃｂ、及びバックアップ第２エリア４１５０ｃｃがバックアップエリアに相当し、図１０１の周辺制御ＲＡＭ４１５０ｃにおけるバックアップ第１エリア４１５０ｃｂが第１のバックアップエリアに相当し、図１０１の周辺制御ＲＡＭ４１５０ｃにおけるバックアップ第２エリア４１５０ｃｃが第２のバックアップエリアに相当し、図１０１の周辺制御ＭＰＵ４１５０ａにおける周辺制御ＤＭＡコントローラ４１５０ａｃがダイレクトメモリアクセス制御手段に相当し、図１４２の周辺制御部電源投入時処理が演出制御側復電時起動復帰制御手段に相当し、「液晶表示装置１９００に表示する１画面分（１フレーム分）の描画データ」が「演出表示装置に表示する１画面分の制御情報」に相当し、Ｖブランク信号が受入許可信号に相当し、「Ｖブランク信号が出力される間隔は、約３３．３ｍｓ（＝１０００ｍｓ÷３０ｆｐｓ）となっている。」という記載が「予め定めた周期ごと」に相当し、図１４２の周辺制御部電源投入時処理におけるステップＳ１０１０〜ステップＳ１０３６の処理から構成される周辺制御部定常処理が演出制御側定期割り込み制御実行制御手段に相当し、図１４２の周辺制御部電源投入時処理におけるステップＳ１０３４のバックアップ処理が演出バックアップ情報記憶保持制御手段に相当し、図１４２の周辺制御部電源投入時処理におけるステップＳ１０００の初期設定処理で実行されるホットスタート／コールドスタートの判定処理が演出復帰判定制御手段に���当し、図１４２の周辺制御部電源投入時処理におけるステップＳ１０００の初期設定処理で実行されるホットスタートする処理が演出復帰制御手段に相当し、図１４２の周辺制御部電源投入時処理におけるステップＳ１０００の初期設定処理で実行されるコールドスタートする処理が演出初期化起動制御手段に相当する。
【手続補正１５】
【補正対象書類名】明細書
【補正対象項目名】００２０
【補正方法】変更
【補正の内容】
【００２０】
本発明の遊技機においては、瞬停前の演出状態を復電時に確実に復帰することができる。
【手続補正１６】
【補正対象書類名】明細書
【補正対象項目名】１１６１
【補正方法】変更
【補正の内容】
【１１６１】
１…パチンコ遊技機（遊技機）、２…外枠、３…本体枠、４…遊技盤、５…扉枠、１１００…遊技領域、１９００…液晶表示装置（演出表示装置）、２１０１…上始動口、２１０２…下始動口、４１００…主制御基板（主制御基板）、４１００ａ…主制御ＭＰＵ、４１１０…払出制御基板、４１１０ｂ…停電監視回路（停電監視部）、４１４０…周辺制御基板（演出制御基板）、４１５０…周辺制御部、４１５０ａｃ…周辺制御ＤＭＡコントローラ（ダイレクトメモリアクセス制御手段）、４１５０ｃ…周辺制御ＲＡＭ（演出記憶手段）、４１５０ｃａ…バックアップ管理対象ワークエリア（ワークエリア）、４１５０ｃｂ…バックアップ第１エリア（バックアップエリア、第１のバックアップエリア）、４１５０ｃｃ…バックアップ第２エリア（バックアップエリア、第２のバックアップエリア）、４１６０…液晶及び音制御部、４１６０ａ…音源内蔵ＶＤＰ（表示制御部）、４１７０…ランプ駆動基板、４１８０…モータ駆動基板。